(57)【要約】      （修正有）【課題】操作ノブの操作によって可動ルーバの向きを調整して風向を変える際、良好なクリック節度感を得ることができるレジスタを提供する。【解決手段】ケース本体に設けた空気吹出口の内側の通風路内に前可動ルーバが設けられる。前可動ルーバの前フィン４１に操作ノブ６が摺動可能に外嵌される。操作ノブ６の回動操作に応じて、該前フィン４１が回動する際、一定の角度間隔でクリック節度感を生じさせるために、節度感発生機構として、軸受部材４５に凹部４６が設けられ、前フィン４１の端縁部には凸部が設けられる。【選択図】図６
0003174495.tif 000002
【実用新案登録請求の範囲】
【請求項１】
ケース本体に設けた空気吹出口の内側の通風路内に可動ルーバが設けられ、該可動ルーバの向きを操作ノブにより変えて風向を変えるレジスタにおいて、
該操作ノブの操作に応じてクリック節度感を生じさせる節度感発生機構が設けられ、該操作ノブを操作することにより、連続した複数のクリック節度感を生じさせることを特徴とするレジスタ。
【請求項２】
前記可動ルーバは前可動ルーバと該前可動ルーバの上流側に位置する後可動ルーバとから構成され、前記操作ノブは該前可動ルーバの前フィンに、長手方向に沿って摺動可能に外嵌され、該前可動ルーバの前フィンは両端に設けた枢軸を該通風路の壁部に回動可能に支持させて回動可能とされ、
前記節度感発生機構は、該前フィンの端部と該通風路の壁部との間に、相互に係合可能な凹部と凸部とが設けられ、該前フィンの回動に応じて凹部と凸部が順に係合して、連続する複数のクリック節度感を生じさせることを特徴とする請求項１記載のレジスタ。
【請求項３】
前記可動ルーバは前可動ルーバと該前可動ルーバの上流側に位置する後可動ルーバとから構成され、前記操作ノブは該前可動ルーバの前フィンに長手方向に沿って摺動可能に外嵌され、該後可動ルーバの後フィンは両端に設けた枢軸を該通風路の壁部に回動可能に支持させて回動可能とされ、該操作ノブの後部が該後可動ルーバの後フィンの前部と係合し、該操作ノブを該前可動ルーバの該前フィン上で摺動させたとき、該後フィンを該枢軸の回りで回動させて後可動ルーバの向きを変えるように構成され、
前記節度感発生機構は、該前フィンと該操作ノブとの間に、相互に係合可能な凹部と凸部とが設けられ、該前フィン上の該操作ノブの摺動に応じて凹部と凸部が順に係合して、連続する複数のクリック節度感を生じさせることを特徴とする請求項１記載のレジスタ。
【請求項４】
前記可動ルーバの上流側の前記通風路内にダンパプレートが回動可能に軸支され、該ダンパプレートを回動操作するためのダンパダイヤルが回動可能に設けられ、ダンパダイヤルの回動操作に応じてクリック節度感を生じさせる節度感発生機構が設けられ、該ダンパダイヤルを回動操作したとき、連続した複数のクリック節度感を生じさせることを特徴とする請求項１記載のレジスタ。
【請求項５】
前記節度感発生機構は、前記ダンパダイヤルの一部と前記ケース本体との間に、相互に係合可能な凹部と凸部とが設けられ、該ダンパダイヤルの回動に応じて該凹部と凸部が順に係合することを特徴とする請求項４記載のレジスタ。
【考案の詳細な説明】
【技術分野】
【０００１】
本考案は、自動車室内等の換気や空調の空気吹出口に使用されるレジスタに関し、特に、風向を調整する操作ノブを操作したとき、操作に応じたクリック節度感が得られるようにしたレジスタに関する。
【背景技術】
【０００２】
自動車用の空調用レジスタとして、風向等を調整するために、ベゼル内に、前可動ルーバと後可動ルーバを、前後してクロスフィン状に配設し、後可動ルーバの上流側に、送風を止め或は風量を調整するダンパプレートを開閉可能に設けたレジスタが、使用されている（下記特許文献１を参照）。
【０００３】
このレジスタには、前可動ルーバの中央近傍の横フィンに操作ノブが、横フィンの長手方向に摺動可能に外嵌され、その操作ノブの後部にラック部が設けられるとともに、ラック部と噛合する歯車部が後可動ルーバの縦フィンの前部に設けられ、操作ノブを上下に回すことにより、前可動ルーバを上下に回動させて、風向を上下に変え、操作ノブを左右横方向にスライドさせることにより、後可動ルーバを左右に回動させて、風向を左右に変えるようになっている。
【先行技術文献】
【特許文献】
【０００４】
【特許文献１】特開２００７−９０９４１号公報
【考案の開示】
【考案が解決しようとする課題】
【０００５】
しかしながら、この種の従来のレジスタは、操作ノブの操作によって、前可動ルーバまたは後可動ルーバの向きを変えることにより、風向を上下左右と任意の方向に変えることができるものの、操作ノブによるスライドまたは回動操作には、操作量に応じた適度な節度感（クリック感）がないため、微妙に風向を変える場合など、使用者には、風向調整操作による確認の手ごたえが得られにくい。このため、風向調整操作による確認の手ごたえを良好に得られるようにするとともに、レジスタの操作ノブの操作フィーリングを、さらに向上させることが要望されていた。
【０００６】
本考案は、上記の点に鑑みなされたもので、操作ノブのスライド操作または回動操作によって可動ルーバの向きを調整して風向を変える際、良好なクリック節度感を得ることができるレジスタを提供することを目的とする。
【課題を解決するための手段】
【０００７】
上記目的を達成する本考案のレジスタは、ケース本体に設けた空気吹出口の内側の通風路内に可動ルーバが設けられ、可動ルーバの向きを操作ノブにより変えて風向を変えるレジスタにおいて、操作ノブの操作に応じて一定の角度間隔またはスライド間隔でクリック節度感を生じさせる節度感発生機構が設けられ、該操作ノブを操作したとき、該節度感発生機構によって、連続した複数のクリック節度感を生じさせることを特徴とする。
【０００８】
この考案によれば、操作ノブをスライド操作または回動操作して風向を調整したとき、使用者には一定の角度間隔またはスライド間隔で、連続した複数のクリック節度感を生じさせ、微妙に風向を変える際でも、確かな手ごたえを感じさせ、操作ノブの操作フィーリングを向上させることができる。
【０００９】
ここで、上記レジスタにおいて、可動ルーバは前可動ルーバと該前可動ルーバの上流側に位置する後可動ルーバとから構成され、上記操作ノブは前可動ルーバの前フィンに長手方向に沿って摺動可能に外嵌され、前可動ルーバの前フィンは両端に設けた枢軸を通風路の壁部に回動可能に支持させて回動可能とされ、上記節度感発生機構は、該前フィンの端部と該通風路の壁部との間に、相互に係合可能な凹部と凸部とが設けられ、該前フィンの回動に応じて凹部と凸部が順に係合し、連続した複数のクリック節度感を生じさせる構成とすることができる。
【００１０】
この考案によれば、操作ノブの回動操作により、前可動ルーバの前フィンの回動角度を変えて風向を変える際、簡単な節度感発生機構によって、連続した複数のクリック節度感を生じさせ、操作フィーリングを向上させることができる。
【００１１】
また、上記レジスタにおいて、可動ルーバは前可動ルーバと該前可動ルーバの上流側に位置する後可動ルーバとから構成され、上記操作ノブは前可動ルーバの前フィンに長手方向に沿って摺動可能に外嵌され、後可動ルーバの後フィンは両端に設けた枢軸を通風路の壁部に回動可能に支持させて回動可能とされ、該操作ノブの後部が該後可動ルーバの後フィンの前部と係合して、該操作ノブを該前可動ルーバの前フィン上で摺動させたとき、該後フィンを枢軸の回りで回動させて後可動ルーバの向きを変えるように構成され、上記節度感発生機構は、該前フィンと該操作ノブとの間に、相互に係合可能な凹部と凸部とが設けられ、該後フィンの向きを調整したとき、該前フィン上での該操作ノブの摺動に応じて該凹部と凸部が順に係合し、連続した複数のクリック節度感を生じさせる構成とすることができる。
【００１２】
この考案によれば、操作ノブのスライド操作により操作ノブを前可動ルーバ上でスライドさせ、後可動ルーバの後フィンの角度を変えて風向を変える際、簡単な節度感発生機構によって、操作ノブのスライドに応じて、複数のクリック節度感を連続して生じさせ、操作フィーリングを向上させることができる。
【００１３】
また、上記レジスタにおいて、可動ルーバの上流側の通風路内にダンパプレートが回動可能に軸支され、該ダンパプレートを回動操作するためのダンパダイヤルが回動可能に設けられ、ダンパダイヤルの回動操作に応じてクリック節度感を生じさせる節度感発生機構が設けられ、該ダンパダイヤルを回動操作したとき、該節度感発生機構によって、連続した複数のクリック節度感を生じさせる構成とすることができる。
【００１４】
この考案によれば、ダンパダイヤルを回動操作したとき、回動角度に応じて連続した複数のクリック節度感を生じさせ、ダンパの開閉操作時の操作フィーリングを向上させることができる。
【００１５】
ここで、上記レジスタにおいて、上記節度感発生機構は、上記ダンパダイヤルの一部と上記ケース本体との間に、相互に係合可能な凹部と凸部とが設けられ、ダンパダイヤルの回動に応じて該凹部と凸部が順に係合するように構成することができる。
【考案の効果】
【００１６】
本考案のレジスタによれば、操作ノブのスライド操作または回動操作によって、可動ルーバの向きを調整して風向を変える際、簡単な節度感発生機構により、連続した複数のクリック節度感を得ることができ、操作ノブの操作フィーリングを向上させることができる。
【図面の簡単な説明】
【００１７】
【図１】本考案の一実施形態を示すレジスタの斜視図である。
【図２】同レジスタの縦断面図である。
【図３】同レジスタの横断面図である。
【図４】前可動ルーバの前フィン、操作ノブ、リンクバーの取付関係を示す部分斜視図である。
【図５】リンクバーを外した状態の前可動ルーバの前フィン、操作ノブの部分斜視図である。
【図６】前フィン、操作ノブの関係を示す背面側からの部分斜視図である。
【図７】前可動ルーバの軸受部材の斜視図である。
【図８】前フィン、操作ノブ、リンクバーの関係を示す背面側からの部分斜視図である。
【図９】操作ノブの分解斜視図である。
【図１０】前可動ルーバの前フィンの背面から見た斜視図である。
【図１１】ダンパダイヤルの部位の拡大斜視図である。
【考案を実施するための形態】
【００１８】
以下、本考案の一実施形態を図面に基づいて説明する。図は車両のインストルメントパネルなどに装着される空調用のレジスタを示している。図１に示すように、レジスタの外殻を形成するケース本体１は、ダクト状に形成されたリテーナ２とリテーナ２の前部に嵌着されるベゼル３とからなり、リテーナ２の前部は、その下部が正面に突き出し、その上部が後方に後退した斜め形状に形成され、リテーナ２内には通風路９が形成されている。リテーナ２の前部に傾斜して取り付けられるベゼル３の前面部には、空気吹出口７とダンパダイヤル用の開口部が設けられている。
【００１９】
図３に示すように、リテーナ２内の前部またはベゼル３とリテーナ２の間の通風路９内に、前可動ルーバ４が配設され、前可動ルーバ４の上流側に後可動ルーバ５が配設され、さらに後可動ルーバ５の上流側にダンパプレート２０が配設される。
【００２０】
前可動ルーバ４は、複数の前フィン４１を一定の上下間隔で、左右横方向に配置し、各前フィン４１は両側端の枢軸４２を介してリテーナ２の前部に回動可能に保持される。リテーナ２前部の左右両側壁に、図６に示す如く、軸受部材４５が取り付けられ、軸受部材４５には複数の軸孔４５ａが所定の上下間隔で形成されている。前可動ルーバ４の各前フィン４１の枢軸４２は、軸受部材４５の軸孔４５ａに回動可能に嵌挿されて支持されている。
【００２１】
また、図８、１０に示すように、前可動ルーバ４の各前フィン４１の一方の端部には、枢軸４２から偏位した位置に連結軸４４が突設され、連結軸４４には、リンクバー４３が連結される。リンクバー４３は図４、８に示すように、棒状に形成され、連結軸４４を嵌め込むための軸孔４３ａを一定間隔で設けて形成され、その軸孔４３ａに連結軸４４が回動可能に嵌挿される。軸孔４３ａに嵌挿された連結軸４４の先端はリンクバー４３の反対側に僅かに突出し、その連結軸４４の突出端が図８のように、クリック用の凸部４４ａとなって上記の如く軸受部材４５の凹部４６に係合する。つまり、両側の枢軸４２を軸受部材４５に軸支されて水平に支持された各前フィン４１の連結軸４４は、１本のリンクバー４３により連結され、これにより、前可動ルーバ４の各前フィン４１は連動して上下に回動可能となっている。
【００２２】
図６，７に示すように、軸受部材４５には、上記節度感発生機構として、１つの軸孔４５ａの周囲に、複数の浅い円孔状の凹部４６が円弧状に配置される。これらの凹部４６には、軸受部材４５に支持された前フィン４１の一方の側端（リンクバー４３が連結される側）に突設された連結軸４４先端の凸部４４ａが当接し、前可動ルーバ４の前フィン４１を上下に回動操作したとき、クリック節度感が生じるようになっている。
【００２３】
図８に示すように、リンクバー４３の孔から僅かに突出した連結軸４４の先端がクリック用の凸部４４ａとなり、軸受部材４５の凹部４６に当接することとなる。一方の側の軸受部材４５の凹部４６は、図７に示す如く、操作ノブ６を装着した前フィン４１の連結軸４４の軌跡に沿って、軸受部材４５に設けられているが、他の前フィンの連結軸に対向して設けることもでき、或いは凹部と凸部を逆にすることもできる。
【００２４】
図２，３に示すように、通風路９内の前可動ルーバ４の上流側に後可動ルーバ５が配設される。後可動ルーバ５は、複数の後フィン５１を一定の左右間隔で縦方向に配置し、各後フィン５１は上下に突設された枢軸５２を、リテーナ２の前部の上部と下部に設けた軸受部の軸孔に回動可能に軸支され保持される。また図２に示すように、各後フィン５１の上端部に連結軸５４が偏位して突設され、各後フィン５１の連結軸５４に１本のリンク部材５５が連結され、全ての後フィン５１が連動してその向きを左右に変え得る構造となっている。
【００２５】
さらに、右から２番目の後フィン５１の前部に、棒状の係合部５３が設けられ、操作ノブ６の後部に設けた二叉状の連係部６３と係合部５３が係合し、操作ノブ６を前フィン４１上で左右方向に摺動させたとき、後可動ルーバ５の後フィン５１を枢軸５２の回りで回動させ、その向きを左右に変える構造となっている。この操作ノブ６を外嵌させた前フィン４１には、図１０に示すように、その背面側に縁部に、上記節度感発生機構として、複数のクリック用凹部６７が長手方向に並設される。前フィン４１のクリック用凹部６７には、そこに外嵌される操作ノブ６のクリック用凸部６４が当接し、操作ノブ６の摺動に応じて係合し、連続してクリック節度感を生じさせるようになっている。
【００２６】
操作ノブ６は、図９に示すように、後部に位置するノブ本体６１とノブ本体６１の前部に嵌着されるノブカバー６２とからなり、前可動ルーバ３の略中央の前フィン４１上に、前方に突き出す形態で摺動可能に外嵌されている。ノブ本体６１の内側の両側に係合凸部６９が突設され、この係合凸部６９が前フィン４１の背面側の係合溝４９（図１０）に係合し、所定の幅で操作ノブ６が前フィン４１上を摺動可能としている。
【００２７】
ノブ本体６１の内側中央に、上記節度感発生機構として、クリック用凸部６４が突設される。ノブ本体６１とノブカバー６２を前フィン４１上で摺動可能に組み付けたとき、クリック用凸部６４が前フィン４１の背面側に設けられたクリック用凹部６７に当接する。これにより、操作ノブ６を前フィン４１上で左右にスライドさせ、後可動ルーバ５の向きを左右に変えるように操作したとき、連続してクリック節度感を生じさせる。
【００２８】
操作ノブ６のノブカバー６２の背面側には２対の係止爪６６が設けられ、ノブ本体６１に設けた係合孔に係止爪６６を嵌め込むことにより、ノブカバー６２をノブ本体６１に対し嵌着し、前フィン４１上で操作ノブ６を所定の範囲で摺動可能としている。操作ノブ６を前フィン４１上で左右に摺動させたとき、図３のように、操作ノブ６の背面側に突設した連係部６３が後可動ルーバ５の後フィン５１の係合部５３に係合し、後フィン５１をその枢軸５２の回りで回動させ、後可動ルーバ５の後フィン５１の向きを左右に変える構造である。
【００２９】
図３に示すように、ダンパプレート２０が、リテーナ２内の通風路９内上流側に配設され、送風を止め或は風量を調整するために、ダンパダイヤル１０の回動操作により回動可能に軸支される。ダンパプレート２０の一方の側部にダンパ軸部が突設され、このダンパ軸部は、リテーナ２の側壁に設けた凹部に回動自在に嵌合される。ダンパプレート２０は板状に形成され、その縁部にスポンジシートなどの軟質縁部が取着され、閉鎖時にはその軟質縁部を通風路９の内周面に接触させて、密閉性を良好にしている。
【００３０】
ダンパプレート２０の他方の側部には、リテーナ２の挿入孔に外側から挿入される、ダンパ支持軸２１の先端部が嵌着され、ダンパプレート２０は、このダンパ支持軸２１と上記ダンパ軸部とにより回動可能に支持される。図１のように、ダンパ支持軸２１の外側先端部には、ダンパレバー２２が設けられ、このダンパレバー２２に設けたガイド孔２２ａに、ダンパダイヤル１０のダイヤルレバー１３側のピン１７が係合し、ダンパダイヤル１０の回動操作に応じて、ダンパプレート２０が開閉動作するようになっている。
【００３１】
図１、３に示すように、ダンパ支持軸２１の外側端部には、その軸と直角方向にダンパレバー２２が延設され、そのダンパレバー２２にガイド孔２２ａが長手方向に沿って形成される。このガイド孔２２ａに、ダンパダイヤル１０のピン１７が係合し、ダンパダイヤル１０の回動操作力をダンパレバー２２に伝達する構造となっている。
【００３２】
一方、図１、３に示すように、リテーナ２の前部の右側面に、ダンパプレート２０を回動操作するために、ダンパダイヤル１０がダイヤル軸１１により回動操作可能に軸支されている。ダンパダイヤル１０は、略ホイール状のダイヤル本体を有し、そのダイヤル本体の前部に軟質表皮部を被覆形成して構成される。ダイヤル本体の略中央に設けたボス部１２は軸孔を有し、ダンパダイヤル１０はリテーナ２の側壁に突設したダイヤル軸１１に、ボス部１２の軸孔を嵌挿して取り付けられる。ダンパダイヤル１０の前部はベゼル３の開口部から前方に露出し、送風量の調整のために、回動操作される。
【００３３】
さらに、図１，３に示す如く、ダンパダイヤル１０の後半部に、上記節度感発生機構として、クリック形成部１６が弾性変形可能にフレーム状に設けられ、そのクリック形成部１６の外側に凸部１６ａが突設される。一方、そのクリック形成部１６の凸部１６ａに対向したリテーナ２の側壁側には、クリック用の円弧部１５が突設され、円弧部１５には、複数の凸部１５ａ、凹部１５ｂが所定の角度間隔で交互に設けられ、ダンパダイヤル１０の回動操作に応じて、クリック形成部１６の凸部１６ａが、円弧部１５の凸部１５ａと凹部１５ｂに交互に接触しながら移動する。これにより、ダンパダイヤル１０の回動操作時、その回動角度に応じて、連続してクリック節度感を生じさせるようになっている。また、ダンパプレート２０の閉鎖時及び開放時、つまりダンパプレート２０の回動端位置で、クリック形成部１６の凸部１６ａが閉鎖時または開放時用の凹部１５ｂに嵌合し、閉鎖位置または開放位置を保持する構造となっている。
【００３４】
上記構成のレジスタは、自動車の車内のインストルメントパネルやダッシュボードの部分に、そのリテーナ２の末端を図示しない通風ダクトに接続するようにして装着される。通風ダクトから送られる空気は、リテーナ２内の通風路９から空気吹出口７を通して吹き出される。
【００３５】
送風方向を上または下に変える場合、操作ノブ６を上または下に操作すると、図２のように前可動ルーバ４の前フィン４１が枢軸４２を中心に回動して、その向きが上下に変化し、空気の吹出方向が上下に調整される。このとき、前フィン４１の枢軸４２を中心とする回動に伴い、図６のように、操作ノブ６を装着した前フィン４１端部の連結軸４４先端の凸部４４ａが、軸受部材４５の複数の凹部４６に接触しながら回動する。これにより、連結軸４４先端の凸部４４ａが軸受部材４５の複数の凹部４６を連続して乗り越えるように回動し、このとき、操作ノブ６を操作する使用者には回動角度に応じて連続してクリック節度感が生じる。このため、使用者はクリック節度感によって操作角度を確認することができ、良好な操作フィーリングで前可動ルーバ４の回動操作を行うことができる。また、連続して生じるクリック節度感によって、前可動ルーバ４を希望する角度に容易に調整することができる。
【００３６】
一方、風向を左右に変える場合、操作ノブ６を前フィン４１上で右または左にスライド摺動させるように操作する。このとき、操作ノブ６の背面側の連係部６３が後可動ルーバ５の後フィン５１の係合部５３に係合して、後フィン５１をその枢軸５２の回りで回動させ、空気の吹出方向が左右に調整される。このとき、操作ノブ６内のクリック用凸部６４が、前フィン４１の背面のクリック用凹部６７に接触しそれらを乗り越えるように動作し、操作ノブ６の左右の移動に伴い、連続してクリック節度感が発生する。このため、使用者は微妙な角度でも確かな操作フィーリングで後可動ルーバ５の回動操作を行うことができ、希望する角度に風向を容易に調整することができる。
【００３７】
他方、送風を止めまたは絞り或は逆に通風路９を開く場合、ベゼル３の正面右端に位置するダンパダイヤル１０を指などで押して上または下に回動させる。このとき、ダンパダイヤル１０はダイヤル軸１１を中心に回動し、図１１に示すように、クリック形成部１６がダンパダイヤル１０と共に回動する。これにより、クリック形成部１６の凸部１６ａが固定側の円弧部１５の凸部１５ａと凹部１５ｂに連続して接触するように回動し、使用者にはダイヤル操作に応じてクリック節度感が連続して発生する。このように、ダイヤル操作に応じてクリック節度感が連続して発生するため、使用者はダンパの開度を微細に且つ容易に調整することができる。
【００３８】
ダンパダイヤル１０の回動力は、ダイヤルレバー１３からピン１７、ガイド孔２２ａ、ダンパレバー２２、及びダンパ支持軸２１を介してダンパプレート２０に伝達され、ダンパプレート２０は、通風路９の閉鎖方向に、或は開放方向に回動し、通風路９が閉鎖され、或いは開放されることとなる。
【００３９】
なお、本考案は、上記の実施態様に限定されるものではなく、以下のような態様でも実施可能である。
【００４０】
上記実施形態では、ダンパダイヤル１０のクリック形成部１６に凸部１６ａを設け、固定側の円弧部１５に凸部１５ａと凹部１５ｂを交互に並設したが、これとは逆に、クリック形成部１６に凸部と凹部を交互に並設し、固定側の円弧部１５に１個の凸部を設けて係合させることもできる。
【００４１】
また、上記では前フィン４１に複数のクリック用凹部６７を並設したが、前フィン４１に１個のクリック用凸部を設け、それとは逆に、操作ノブ６の内側に複数のクリック用凹部を並設することもできる。
【００４２】
また、上記では軸受部材４５に複数の凹部４６を円弧状に配置し、前フィン４１の端縁部に突設した連結軸４４の先端を凸部として凹部４６に係合させたが、それとは逆に、複数の凸部を軸受部材４５側に円弧状に配置し、前フィン４１の端部には１個の凹部を設けて係合させることもできる。
【００４３】
また、上記実施形態の可動ルーバは、前可動ルーバ４と後可動ルーバ５から構成したが、何れか一方のみの可動ルーバで構成することもできる。
【符号の説明】
【００４４】
１      ケース本体
２      リテーナ
３      ベゼル
４      前可動ルーバ
５      後可動ルーバ
６      操作ノブ
７      空気吹出口
９      通風路
１０    ダンパダイヤル
１１    ダイヤル軸
１２    ボス部
１３    ダイヤルレバー
１５    円弧部
１５ａ  凸部
１５ｂ  凹部
１６    クリック形成部
１６ａ  凸部
１７    ピン
２０    ダンパプレート
２１    ダンパ支持軸
２２    ダンパレバー
２２ａ  ガイド孔
４１    前フィン
４２    枢軸
４３    リンクバー
４３ａ  軸孔
４４    連結軸
４４ａ  凸部
４５    軸受部材
４５ａ  軸孔
４６    凹部
４９    係合溝
５１    後フィン
５２    枢軸
５３    係合部
５４    連結軸
５５    リンク部材
６１    ノブ本体
６２    ノブカバー
６３    連係部
６４    クリック用凸部
６６    係止爪
６７    クリック用凹部
６９    係合凸部
【図１】
0003174495.tif 000003
【図２】
0003174495.tif 000004
【図３】
0003174495.tif 000005
【図４】
0003174495.tif 000006
【図５】
0003174495.tif 000007
【図６】
0003174495.tif 000008
【図７】
0003174495.tif 000009
【図８】
0003174495.tif 000010
【図９】
0003174495.tif 000011
【図１０】
0003174495.tif 000012
【図１１】
0003174495.tif 000013